(57)【要約】  本発明は、事務機器のカバー開閉用ヒンジ装置に関し、特に、回転開閉されるカバーに設けられたヒンジ装置に、複層カム及びスライダーを用いて、カバー閉時に、フリーストップ区間とスローダウン区間が形成されるようにすることにより、カバー閉時に於けるノイズ低減及び製品の使用感の向上のための技術に関する。事務機器本体（１１０）側に設置され、上部に一対のヒンジ孔（１１）が設けられたハウジング（１０）と、カバー（１２０）側に固定設置され、後部にヒンジ孔（２１）が設けられ、後方下部に前記ハウジング（１０）の上端部の内部に突入するヒンジ接続部（２２）が設けられた回動レバー（２０）と、前記ハウジング（１０）の前記ヒンジ孔（１１）及び前記回動レバー（２０）の前記ヒンジ孔（２１）に挿入されて、前記回動レバー（２０）及び前記カバー（１２０）を互いに回転可能に支持するヒンジ軸（３０）と、前記ハウジング（１０）の内部に配置された圧縮コイルばね（４０）と、前記ハウジング（１０）の内部上部に配置され、前記圧縮コイルばね（４０）によって弾性支持され、かつ上端部にて前記回動レバー（２０）の前記ヒンジ接続部（２２）の下端面に当接するスライダー（５０）とを備えた事務機器のカバー開閉用ヒンジ装置において、前記回動レバー（２０）の前記ヒンジ接続部（２２）は、前記ヒンジ孔（２１）の前方に配置され、前記ヒンジ接続部（２２）の下面に複層カム（２３）が設けられ、前記スライダー（５０）の上端面に支承面（５１）が設けられ、前記回動レバー（２０）の前記複層カム（２３）が、中央のストップカム（２３ａ）と、該ストップカム（２３ａ）の両側にて前記ストップカム面より後方に位置し、かつ低い高さのダウンカム（２３ｂ）とを含み、前記スライダー（５０）の前記支承面（５１）が、前方に行くほど高くなる斜面と、前方先端中央に設けられた、前記回動レバー（２０）の前記ストップカム（２３ａ）が当接するべきストップ面（５１ａ）と、該ストップ面（５１ａ）の両側から突出して、前記ダウンカム（２３ｂ）に当接するべきダウン面（５１ｂ）とを含む。【選択図】図３
2017514323.tif 000002
【特許請求の範囲】
【請求項１】
事務機器本体（１１０）側に設置され、上部に一対のヒンジ孔（１１）が設けられたハウジング（１０）と、
カバー（１２０）側に固定設置され、後部にヒンジ孔（２１）が設けられ、後方下部に前記ハウジング（１０）の上端部の内部に突入するヒンジ接続部（２２）が設けられた回動レバー（２０）と、
前記ハウジング（１０）の前記ヒンジ孔（１１）及び前記回動レバー（２０）の前記ヒンジ孔（２１）に挿入されて、前記回動レバー（２０）及び前記カバー（１２０）を互いに回転可能に支持するヒンジ軸（３０）と、
前記ハウジング（１０）の内部に配置された圧縮コイルばね（４０）と、
前記ハウジング（１０）の内部上部に配置され、前記圧縮コイルばね（４０）によって弾性支持され、かつ上端部にて前記回動レバー（２０）の前記ヒンジ接続部（２２）の下端面に当接するスライダー（５０）とを備えた事務機器のカバー開閉用ヒンジ装置において、
前記回動レバー（２０）の前記ヒンジ接続部（２２）は、前記ヒンジ孔（２１）の前方に配置され、前記ヒンジ接続部（２２）の下面に複層カム（２３）が設けられ、前記スライダー（５０）の上端面に支承面（５１）が設けられ、
前記回動レバー（２０）の前記複層カム（２３）が、中央のストップカム（２３ａ）と、該ストップカム（２３ａ）の両側にて前記ストップカム面より後方に位置し、かつ低い高さのダウンカム（２３ｂ）とを含み、
前記スライダー（５０）の前記支承面（５１）が、前方に行くほど高くなる斜面と、前方先端中央に設けられた、前記回動レバー（２０）の前記ストップカム（２３ａ）が当接するべきストップ面（５１ａ）と、該ストップ面（５１ａ）の両側から突出して、前記ダウンカム（２３ｂ）に当接するべきダウン面（５１ｂ）とを含むことを特徴とする事務機器のカバー開閉用ヒンジ装置。
【請求項２】
前記回動レバー（２０）の前記複層カム（２３）を構成する前記ストップカム（２３ａ）は、前記支承面（５１）のストップ面（５１ａ）に当接支持され、前記ダウンカム（２３ｂ）は、前記ダウン面（５１ｂ）に当接支持されることにより、前記回動レバー（２０）に固定結合された前記カバー（１２０）が開放された状態で維持されることを特徴とする請求項１に記載の事務機器用カバー開閉用ヒンジ装置。
【請求項３】
前記回動レバー（２０）の前記複層カム（２３）を構成する前記ストップカム（２３ａ）が、前記支承面（５１）の前記ストップ面（５１ａ）に当接することにより、前記回動レバー（２０）に固定された前記カバー（１２０）の開状態を維持し、前記カバー（１２０）を閉状態に加圧したときには、前記ストップカム（２３ａ）が前記ストップ面（５１ａ）を加圧しながら、前記スライダー（５０）を下方向に変位させることにより、フリーストップ区間（Ａ）が形成されるようにしたことを特徴とする請求項２に記載の事務機器のカバー開閉用ヒンジ装置。
【請求項４】
前記回動レバー（２０）の前記複層カム（２３）を構成する前記ストップカム（２３ａ）が、前記支承面（５１）のストップ面（５１ａ）を通過する際に、前記ストップカム（２３ａ）の両側の前記ダウンカム（２３ｂ）が、前記支承面（５１）の両側のダウン面（５１ｂ）を加圧して、前記スライダー（５０）を下方向に移動させることによりスローダウン区間（Ｂ）が形成されるようにしたことを特徴とする請求項３に記載の事務機器のカバー開閉用ヒンジ装置。
【発明の詳細な説明】
【技術分野】
【０００１】
本発明は、事務機器のカバー開閉用ヒンジ装置に関し、特に、回転開閉されるカバーに設けられたヒンジ装置に、複層カム及びスライダーを用いて、カバー閉時に、フリーストップ区間とスローダウン区間が形成されるようにすることにより、カバー閉時に於けるノイズ低減及び製品の使用感の向上のための技術に関する。
【背景技術】
【０００２】
一般に、コピー機、スキャナ、複合機などの事務機器は、文書の原稿をスキャンして、スキャンされた画像をデータとして保存したり、用紙に出力する機器であって、原稿を読み取るために事務機器本体に備えられる原稿読み取り面と、原稿読み取り面に置かれる原稿を加圧するためのカバーと、カバーを事務機器本体に接続するヒンジ装置とを含んでいる。
【０００３】
図１及び図２には、韓国特許公報１０−０４７４４２５号に開示されている従来のヒンジ装置に於ける、ヒンジ本体１と、加圧装置２と、ヒンジカム３とが示されている。
【０００４】
ヒンジ本体１は、事務機器本体１１０に上下に移動可能に設置されており、上部にて、カバー１２０に固定されたヒンジカム３に対して、ピン軸を介して相互に結合されている。
【０００５】
ヒンジ本体１の内部には、ばね２ｂ及びプッシャー２ａにより構成された加圧装置２が内蔵されている。プッシャー２ａは、ヒンジ本体１の内部で上下に移動可能であり、外部に突出した先端がヒンジカム３と当接した状態で保持されている。
【０００６】
従って、従来の事務機器では、ヒンジカム３のカム部が、加圧装置２のプッシャー２ａをヒンジ本体１の内方に加圧した状態で、カバー１２０の閉状態が維持され、カバー１２０を開放すると、ヒンジカム３とプッシャー２ａとは、加圧力が最小となる状態で互いに当接するようになる。
【０００７】
また、事務機器の原稿読み取り面に厚い原稿を置いた状態で、カバー１２０を閉じる場合には、ヒンジ本体１が、事務機器本体１１０の上方に移動することにより、原稿読み取り面とカバー１２０との間の間隔を増加させる構成が備えられている。
【０００８】
しかしながら、上記の公知技術では、ヒンジカムに形成された一つのカム部を利用して加圧装置のプッシャーを加圧して、ヒンジカムとプッシャーとが密着した状態で、カバーの閉動作が行われることから、閉過程全体が、徐々に行われるスロー区間（Ｓｌｏｗ Ｄｏｗｎ）を構成するのみである。
【０００９】
即ち、カバーが徐々に閉じるようにするダンピング（Ｄａｍｐｉｎｇ）機能が実装されていないことから、所望の区間（角度）まで開（Ｏｐｅｎ）状態を維持することが不可能であるという問題点があった。
【００１０】
一方、一定の範囲内でカバーの開閉角度を自由に設定できるようにするフリーストップ（Ｆｒｅｅ Ｓｔｏｐ）機能が設けられたヒンジ装置も開発され、使用されているが、この場合、フリーストップ区間が小さいため、閉（Ｃｌｏｓｅ）時に大きな騒音が発生したり、ユーザーのけがを招く惧れがある等の弊害があった。
【先行技術文献】
【特許文献】
【００１１】
【特許文献１】韓国特許公報１０−０４７４４２５号                              −「事務機器のカバー開閉用ヒンジ装置」公告日２００５年３月１０日
【発明の概要】
【発明が解決しようとする課題】
【００１２】
本発明は、このような従来技術の問題点を鑑みて案出されたものであり、その目的は、カバーのフリーストップ区間を大きくして、閉時の騒音を低減し、使用者の傷害を防止することができ、しかも使用感を向上させることができるような事務機器カバー開閉用ヒンジ装置を提供することにある。
【００１３】
本発明の他の目的は、ひとつのヒンジカムを複層カムとして構成して、フリーストップ及びスローダウンの両機能を実現することにより、部品点数及びコストを削減することができるように構成された事務機器のカバー開閉用ヒンジ装置を提供することにある。
【課題を解決するための手段】
【００１４】
本発明によれば、このような目的は、事務機器本体（１１０）側に設置され、上部に一対のヒンジ孔（１１）が設けられたハウジング（１０）と、カバー（１２０）側に固定設置され、後部にヒンジ孔（２１）が設けられ、後方下部に前記ハウジング（１０）の上端部の内部に突入するヒンジ接続部（２２）が設けられた回動レバー（２０）と、前記ハウジング（１０）の前記ヒンジ孔（１１）及び前記回動レバー（２０）の前記ヒンジ孔（２１）に挿入されて、前記回動レバー（２０）及び前記カバー（１２０）を互いに回転可能に支持するヒンジ軸（３０）と、前記ハウジング（１０）の内部に配置された圧縮コイルばね（４０）と、前記ハウジング（１０）の内部上部に配置され、前記圧縮コイルばね（４０）によって弾性支持され、かつ上端部にて前記回動レバー（２０）の前記ヒンジ接続部（２２）の下端面に当接するスライダー（５０）とを備えた事務機器のカバー開閉用ヒンジ装置において、前記回動レバー（２０）の前記ヒンジ接続部（２２）は、前記ヒンジ孔（２１）の前方に配置され、前記ヒンジ接続部（２２）の下面に複層カム（２３）が設けられ、前記スライダー（５０）の上端面に支承面（５１）が設けられ、前記回動レバー（２０）の前記複層カム（２３）が、中央のストップカム（２３ａ）と、該ストップカム（２３ａ）の両側にて前記ストップカム面より後方に位置し、かつ低い高さのダウンカム（２３ｂ）とを含み、前記スライダー（５０）の前記支承面（５１）が、前方に行くほど高くなる斜面と、前方先端中央に設けられた、前記回動レバー（２０）の前記ストップカム（２３ａ）が当接するべきストップ面（５１ａ）と、該ストップ面（５１ａ）の両側から突出して、前記ダウンカム（２３ｂ）に当接するべきダウン面（５１ｂ）とを含むことを特徴とする事務機器のカバー開閉用ヒンジ装置を提供することにより達成される。
【００１５】
前記回動レバー（２０）の前記複層カム（２３）を構成する前記ストップカム（２３ａ）は、前記支承面（５１）のストップ面（５１ａ）に当接支持され、前記ダウンカム（２３ｂ）は、前記ダウン面（５１ｂ）に当接支持されることにより、前記回動レバー（２０）に固定結合された前記カバー（１２０）が開放された状態で維持される。
【００１６】
前記回動レバー（２０）の前記複層カム（２３）を構成する前記ストップカム（２３ａ）が、前記支承面（５１）の前記ストップ面（５１ａ）に当接することにより、前記回動レバー（２０）に固定された前記カバー（１２０）の開状態を維持し、前記カバー（１２０）を閉状態に加圧したときには、前記ストップカム（２３ａ）が前記ストップ面（５１ａ）を加圧しながら、前記スライダー（５０）を下方向に変位させることにより、フリーストップ区間（Ａ）が形成される。
【００１７】
また、前記回動レバー（２０）の前記複層カム（２３）を構成する前記ストップカム（２３ａ）が、前記支承面（５１）のストップ面（５１ａ）を通過する際に、前記ストップカム（２３ａ）の両側の前記ダウンカム（２３ｂ）が、前記支承面（５１）の両側のダウン面（５１ｂ）を加圧して、前記スライダー（５０）を下方向に移動させることによりスローダウン区間（Ｂ）が形成される。
【発明の効果】
【００１８】
このような構造からなる本発明は、回動レバーにフリーストップ区間とスローダウン区間を実現する複層カムを形成し、部品点数及びコストを削減することができる。
【００１９】
また、カバーを開閉時に於けるフリーストップ区間を拡張することができることから、カバー閉時に於ける騒音やユーザーの負傷の可能性を防止することができるようになることに加えて、製品の使用感を大幅に向上させることができる非常に好適な発明が提供される。
【図面の簡単な説明】
【００２０】
【図１】従来のヒンジ装置の構成を示す分解斜視図。
【図２】従来のヒンジ装置の使用状態を示す斜視図。
【図３】本発明に基づくヒンジ装置の分解斜視図。
【図４】本発明に基づく回動レバー及びスライダーの背面斜視図。
【図５】本発明に於けるフリーストップ区間を示す断面図。
【図６】本発明に於けるスローダウン区間を示す断面図。
【図７】本発明が適用された事務機器の概略側面図。
【発明を実施するための形態】
【００２１】
以下、添付の図面を参照して、上記の目的を達成するための本発明の構成を詳しく説明する。
【００２２】
本発明に基づく事務機器のカバー開閉用ヒンジ装置に於いては  事務機器の回転開閉されるカバーに設けられたヒンジ装置に、複数のカム及びスライダーを用いて、カバー閉時に、フリーストップ区間とスローダウン区間が形成されるようにすることにより、カバー閉時に於けるノイズ低減を図ると共に、製品の使用感を向上させるようにしている。
【００２３】
先ず、本明細書に於いては、通常の使用時に於ける方向の基準として、添付された図３〜図７を参照して説明する。原稿読み取り面を備えた事務機器本体（１１０）側にハウジング（１０）が配置され、原稿読み取り面に置かれた原稿を加圧するためのカバー（１２０）の側に於いては、ヒンジ接続部（２２）が、カバー（１２０）の底面に固定され、カバー（１２０）を事務機器本体（１１０）に接続するために、ハウジング（１０）及びヒンジ接続部（２２）が、ヒンジ軸（３０）を介して互いに接続されている。
【００２４】
ハウジング（１０）は、事務機器本体（１１０）の一側部に設けられた装着溝内に、上下に移動可能に挿入されており、ハウジング（１０）の本体の内部に、圧縮コイルばね（４０）及びスライダー（５０）を内蔵するための収容部を画成し、ハウジング（１０）の上部には一対のヒンジ孔（１１）が設けられている。
【００２５】
カバー（１２０）の底面に固定された回動レバー（２０）の後部にはヒンジ孔（２１）が設けられ、前記したヒンジ接続部（２２）が、回動レバー（２０）の後方下部に於いて、ハウジング（１０）の収容部の上方に位置するように配置されている。
【００２６】
また、ハウジング（１０）の収容部に内蔵されているスライダー（５０）は、圧縮コイルばね（４０）によって弾性支持され、上端部が回動レバー（２０）のヒンジ接続部（２２）の下面に当接している。
【００２７】
更に、ヒンジ軸（３０）が、ハウジング（１０）のヒンジ孔（１１）及び回動レバー（２０）のヒンジ孔（２１）に挿入されている。このようにして、回動レバー（２０）及びカバー（１２０）が互いに結合されることにより、カバー（１２０）を事務機器本体（１１０）に対して回動可能に支持している。
【００２８】
本発明に基づくヒンジ装置に於いて、回動レバー（２０）の、ヒンジ孔（２１）の前方に位置するヒンジ接続部（２２）の部分の下面に複層カム（２３）が設けられている。一方、スライダー（５０）の上端面には、対応する支承面（５１）が設けられている。
【００２９】
回動レバー（２０）の複層カム（２３）は、中央のストップカム（２３ａ）と、このストップカム（２３ａ）の両側に設けられ、ストップカム面より後方に位置し、かつ高さが低い輪郭を有するダウンカム（２３ｂ）とにより構成されている。
【００３０】
スライダー（５０）の支承面（５１）は、前方に行くほど高くなる斜面をなすと共に、前方先端中央に、回動レバー（２０）のストップカム（２３ａ）が接触するべきストップ面（５１ａ）と、このストップ面（５１ａ）の両側から突出してダウンカム（２３ｂ）と接触するべきダウン面（５１ｂ）とが形成されている。
【００３１】
回動レバー（２０）のヒンジ接続部（２２）は、ヒンジ孔（２１）の前方に位置することにより回転半径を大きくし、ヒンジ孔（２１）の後方には、ハウジング（１０）の上端に係合するストッパ部（符号なし）を設けることにより、回動レバー（２０）の過剰な回転を防止することができる。
【００３２】
従って、回動レバー（２０）の複層カム（２３）を構成するストップカム（２３ａ）及びダウンカム（２３ｂ）が、それぞれ支承面（５１）のストップ面（５１ａ）及びダウン面（５１ｂ）に当接支持された状態で、回動レバー（２０）に固定結合されたカバー（１２０）が開放された状態で支持される。
【００３３】
上記したように構成された本発明のヒンジ装置に於いては、図５に示すように、回動レバー（２０）に結合されたカバー（１２０）の、最大開き角度位置から閉方向に一定角度回転させた角度位置までの区間が、ユーザーが任意の角度に回動レバー（２０）及びカバー（１２０）を停止させることができるフリーストップ区間（Ａ）となる。
【００３４】
即ち、回動レバー（２０）の複層カム（２３）を構成するストップカム（２３ａ）が支承面（５１）のストップ面（５１ａ）に当接支持されて、回動レバー（２０）に固定結合されたカバー（１２０）の開き具合を維持した状態から、カバー（１２０）を閉状態に加圧すると、ストップカム（２３ａ）がストップ面（５１ａ）を加圧しながら、スライダー（５０）を下部方向に移動させることによりフリーストップ区間（Ａ）が形成される。
【００３５】
そして、図６に示すように、フリーストップ区間（Ａ）の後には、カバー（１２０）が自重により回転するスローダウン区間（Ｂ）が形成される。
【００３６】
即ち、回動レバー（２０）の複層カム（２３）を構成するストップカム（２３ａ）が支承面（５１）のストップ面（５１ａ）を通過する際に、ストップカム（２３ａ）の両側のダウンカム（２３ｂ）が、ストップ面（５１ａ）の両側のダウン面（５１ｂ）を加圧して、スライダー（５０）を下部方向に、徐々に移動させるスローダウン区間（Ｂ）が形成される。
【００３７】
本実施例に於いては、複層カム（２３）が、スライダー（５０）を押して移動させると、スライダー（５０）は、ハウジング（１０）の収容部を沿って下方向に移動しながら、下部の内部の圧縮コイルばね（４０）の弾性力を回動レバー（２０）に伝達することになる。
【００３８】
ハウジング（１０）の内部に設置された圧縮コイルばね（４０）の反発力は、複層カム（２３）と接触する支承面（５１）の当接点で発生し、その力の方向は、当接点から垂直な方向に作用するようにされるため、図５に示すように、ストップカム（２３ａ）の最大高さ部分がストップ面（５１ａ）に当接していないフリーストップ区間（Ａ）の場合は、圧縮コイルばね（４０）の圧縮力により、スライダーの支承面（５１）が、ヒンジ接続部（２２）のヒンジ孔（２１）が形成された後方部分を支持することにより、カバー（１２０）を一定の開度で維持することができるようになる。
【００３９】
このように、複層カム（２３）を構成するストップカム（２３ａ）及びダウンカム（２３ｂ）の最大高さ部分が、支承面（５１）の前方に形成されたストップ面（５１ａ）及び、このストップ面（５１ａ）の両側で上方突出したダウン面（５１ｂ）に当接して移動するが、ストップカム（２３ａ）の最大高さ部分が、ダウンカム（２３ｂ）の最大高さ部分よりも後方に位置することにより、フリーストップ区間（Ａ）では、ダウンカム（２３ｂ）及びダウン面（５１ｂ）が、図５に示すように、所定の間隔をおいて位置する。
【００４０】
そして、ストップカム（２３ａ）がストップ面（５１ａ）と当接しつつ移動するに従って、ストップカム（２３ａ）の最大高さ部分が、ストップ面（５１ａ）の最大高さ部分に当接する前に、ダウンカム（２３ｂ）の最大高さ部分が、ダウン面（５１ｂ）に当接した状態が出現する。
【００４１】
従って、フリーストップ区間（Ａ）に於いて、ユーザーがカバー（１２０）及び回動レバー（２０）を反時計回り（閉方向）に回転させて、ヒンジ接続部（２２）のストップカム（２３ａ）の最大高さ部分が、スライダー（５０）のストップ面（５１ａ）から離脱した後には、図６のようにダウンカム（２３ｂ）の最大高さ部分が、ダウン面（５１ｂ）に沿って当接移動するようになり、フリーストップ区間（Ａ）からスローダウン区間（Ｂ）へと移行し、ユーザーが加圧力を除去しても、カバー（１２０）及び回動レバー（２０）が反時計方向に回転して、カバー（１２０）がゆっくりと閉じられる。
【００４２】
カバー（１２０）を閉じた状態では、ヒンジ接続部（２２）の複層カム（２３）がスライダー（５０）の支承面（５１）の後方に位置しながら、圧縮コイルばね（４０）の弾性力によってスライダー（５０）を上昇させてダウン面（５１ｂ）の最大高さ部分が、ダウンカム（２３ｂ）の最大高さ部分の前方に当接支持されて、カバー（１２０）が、浮き上がることなく、事務機器本体（１１０）に強固に密着することができるようになる。
【００４３】
以上に説明した本発明が、上記した実施例及び図面によって限定されるものではなく、本発明の技術的思想を逸脱しない範囲内で様々な置換、変形及び変更が可能であることは、本発明の属する技術分野で通常の知識を持った者にとって明らかであろう。
【図１】
2017514323.tif 000003
【図２】
2017514323.tif 000004
【図３】
2017514323.tif 000005
【図４】
2017514323.tif 000006
【図５】
2017514323.tif 000007
【図６】
2017514323.tif 000008
【図７】
2017514323.tif 000009
【国際調査報告】
2017514323.tif 000010
2017514323.tif 000011
2017514323.tif 000012
2017514323.tif 000013